(57)【要約】【課題】  従来は、水道栓の蛇口に取り付けた分岐給水器具を装着し、洗い運転やすすぎ運転に必要とする水を予め貯留しておくために食器洗い機に備えた貯水タンクに給水する構成が知られていた。しかしながら、近年、水道水の水質悪化などにより浄水器等の水回り機器を使用する家庭が急増しているが、分岐給水器具と水回り機器の使用を想定していないため、いずれか一方を水道栓の蛇口に取り付けると他方が取り付けられなかった。【解決手段】  分岐給水器具３８は、食器洗い機やアルカリイオン整水器それぞれに給水する出水口を備えるとともに、水道栓の蛇口に蛇口連結部を介して連結し、下部に連結部を介して市販の浄水器を取り付け可能とする構成としている。また、水道栓の蛇口に装着された市販の浄水器の下部に分岐給水器具を取り付けたり、さらに分岐給水器具内に浄水部を一体的に形成する構成としている。【選択図】  図３
2006233674.tif 000002
【特許請求の範囲】
【請求項１】
水の導入が可能な入水口と、
前記入水口に導入された水を第１の水回り機器に送るために前記第１の水回り機器の第１の給水管が接続される第１出水口と、
前記入水口に導入された水を第２の水回り機器に送るために前記第２の水回り機器の第２の給水管が接続される第２出水口と、
前記入水口に導入された水を外部に吐出するための第３出水口と、
前記入水口に対して前記第１出水口、前記第２出水口又は前記第３出水口とを択一的に連通させるべく内部の水路を切り換える切り換え機構と、
を備えることを特徴とする分岐給水器具。
【請求項２】
前記入水口は、水道栓の蛇口と連通するために前記蛇口開口の先端と連結する蛇口連結部を有することを特徴とする請求項１に記載の分岐給水器具。
【請求項３】
水道栓に装着され、浄水した浄化水又は非浄化水を吐出口から吐出する浄水器をさらに備え、
前記入水口は、前記浄水器の吐出口と連結可能とすることを特徴とする請求項１に記載の分岐給水器具。
【請求項４】
前記第２の水回り機器から返送されてくる水を前記第３出水口から吐出するために前記第２の水回り機器の吐出管が接続され、前記第３出水口と連通する第２入水口をさらに有することを特徴とする請求項１〜請求項３のいずれかに記載の分岐給水器具。
【請求項５】
前記第３出水口は、シャワー吐出可能となるアタッチメントが装着可能な装着部を有することを特徴とする請求項１〜請求項４のいずれかに記載の分岐給水器具。
【請求項６】
水を導入する導入口を有し、該導入口より導入した水を浄化し、浄化水を吐出する浄水器をさらに備え、
前記第３出水口は、シャワー吐出可能となるアタッチメントが装着可能な装着部を有するとともに、該装着部は、前記浄水器の導入口との連結が可能であることを特徴とする請求項１又は請求項２のいずれかに記載の分岐給水器具。
【請求項７】
水の導入が可能な給水開口と、前記第２の水回り機器から返送されてくる水を前記第３出水口から吐出させるべく前記第２の水回り機器の吐出管が接続される第３入水口と、前記第３出水口及び前記第３入水口と連通する第４出水口と、を有する分岐補助具をさらに備え、
前記分岐補助具の給水開口は、前記第３出水口に接続されることを特徴とする請求項１〜請求項３のいずれかに記載の分岐水栓金具。
【請求項８】
前記第３出水口は、シャワー吐出可能となるアタッチメントが装着可能な装着部を有し、また前記分岐補助具は、前記第３出水口と前記給水開口とを接続するために前記装着部に装着可能な連結部を有することを特徴とする請求項７に記載の分岐給水器具。
【請求項９】
前記水道栓はシステムキッチンのシンク周辺に設けた貫通穴に固定され、また前記第１出水口及び第２出水口は前記貫通穴方向に向いて設けられていることを特徴とする請求項１〜８に記載の分岐水栓器具。
【請求項１０】
水道栓の蛇口と連結し、該水道栓からの水の導入が可能な入水口と、
前記入水口に導入された水を第１の水回り機器に送るために前記第１の水回り機器の第１の給水管が接続される第１出水口と、
前記入水口に導入された水を第２の水回り機器に送るために前記第２の水回り機器の第２の給水管が接続される第２出水口と、
前記入水口に導入された水を外部に吐出するための第３出水口と、
前記入水口に導入された水を浄化する浄水部と、
該浄水部からの浄化水を吐出する第５出水口と、
前記入水口に対して、前記第１出水口、前記第２出水口、前記第３出水口又は前記第５出水口とを択一的に連通させるべく内部の水路を切り換える切り換え機構と、
を備えることを特徴とする分岐給水器具。
【請求項１１】
請求項１〜１０のいずれかに記載の分岐給水器具を具備し、
該分岐給水器具の第１出水口に連結された給水管を経て供給される水を貯留する給水タンクと、
食器類が内部に収容され、その底部に貯留した水を吸引して前記食器類に向けて噴射することで該食器類を洗浄するための洗浄庫と、
前記給水タンクより水を吸引して前記洗浄庫の底部に溜める給水手段と、
を備えることを特徴とする食器洗い機。
【発明の詳細な説明】
【技術分野】
【０００１】
本発明は、食器洗い機等、主として台所で使用される水回り機器に給水を行うために水道栓の蛇口に装着される分岐給水器具、及び該分岐給水器具を経て水道栓より供給される水を使用して食器類を洗浄する食器洗い機に関する。
【背景技術】
【０００２】
家庭用の食器洗い機は、食器類を収容した洗浄庫に水を供給して該洗浄庫の底部に水を貯留し、その水を洗浄ポンプにより吸引してノズルアームへと圧送し、ノズルアームに設けた水噴射穴から食器類に水を噴射することによって食器類の洗い及びすすぎを行う構成を有している。こうした食器洗い機を一般家庭の台所に設置する際には、通常、台所のシンクに配設されている水道栓の開閉栓の上流側の配管に分岐水栓を取り付け、この分岐水栓と食器洗い機本体とを給水ホースで接続するような設置工事が必要となる。しかしながら、例えば、食器洗い機を購入したが分岐水栓の取付工事を行う業者との工事日程が合わずにすぐに取付工事をしてもらえなかったり、賃貸住宅などではこうした分岐水栓の取付工事が困難であったり許可されなかったりする場合もあり、食器洗い機を使用したくてもできないといった問題がある。
【０００３】
そこで、工事専門業者による分岐水栓の取付工事が不要な分岐水栓工事レス方式の食器洗い機が市場から要望されている。こうした食器洗い機として、例えば特許文献１及び２に記載のように、洗い運転やすすぎ運転に必要とする水を予め貯留しておくための貯水タンクを備えた食器洗い機が従来より知られている。こうした食器洗い機では、運転に先立ってユーザが運転に必要な量の水を貯水タンクに注入しておき、運転が開始されると、食器洗い機本体はその貯水タンク内の水を使用して全ての運転を実行する。
【０００４】
こうした食器洗い機の給水タンクに簡便に注水を行うことを目的として、特許文献２には、台所シンクの水道栓の蛇口に直結して使用される分岐機構が開示されている。この分岐機構によれば、水道栓から導入される水を台所シンクの側に吐出するか或いは食器洗い機の給水タンクの側に流すのかを使用者のハンドル操作により切り換えることができるから、食器洗い機を使用しないときにも分岐機構を水道栓の蛇口に付けたままで、何ら問題なくシンクで水道水を使用することができる。
【０００５】
ところで、近年、水道水の水質悪化、水道水の安全性に対する懸念、或いは水の味への関心の高まりなどから、水道水を浄化する浄水器や水を改質するアルカリイオン整水器などの水周り機器を使用する家庭が急増している。浄水器には様々なタイプがあるが、最も手軽で且つ安価であることから広く利用されているのは水道栓の蛇口に直結して使用される蛇口直結型のものである（例えば非特許文献１など参照）。また、アルカリイオン整水器も、工事が手軽な水道栓の蛇口開口に分岐水栓を設けて給水タイプのものが使用され、この給水のための水道栓の蛇口開口に取り付ける分岐水栓も必要になる。
【０００６】
ところが、上記のような従来の食器洗い機給水用分岐機構では、こうした蛇口直結型の水回り機器の使用を想定していないため、いずれかの分岐水栓を水道の蛇口に取り付けると他の分岐水栓の取り付けができなくなり、いずれかの使用をあきらめざるを得ないという問題が生じていた。
【特許文献１】特開２００３−１８０５９６号公報
【特許文献２】特開２００１−５７９５６号公報
【非特許文献１】「ＴＯＲＡＹトレビーノＨＯＭＥＰＡＧＥ  どんなタイプがいいか、取り付け場所で選ぶ」、[Online]、東レ株式会社、[平成１６年１２月１４日検索]、インターネット<URL :  http://www.torayvino.com/choice/index.html>
【発明の開示】
【発明が解決しようとする課題】
【０００７】
本発明は上記課題に鑑みて成されたものであり、蛇口直結型の浄水器や水道栓の蛇口開口に分岐水栓を取り付けるタイプのアルカリイオン整水器を使用している場合でも分岐水洗の工事レス方式の食器洗い機等の水回り機器に給水を行うための蛇口直結型の分岐給水器具を取り付けることができる、又は逆に、分岐水洗レス方式食器洗い機等の水回り機器に給水を行うための蛇口直結型の分岐給水器具を使用している場合でも蛇口直結型の浄水器を後から取り付けることができるようにすることを目的としている。
【課題を解決するための手段】
【０００８】
上記課題を解決するために成された第１発明に係る分岐給水器具は、水の導入が可能な入水口と、前記入水口に導入された水を第１の水回り機器に送るために前記第１の水回り機器の第１の給水管が接続される第１出水口と、前記入水口に導入された水を第２の水回り機器に送るために前記第２の水回り機器の第２の給水管が接続される第２出水口と、前記入水口に導入された水を外部に吐出するための第３出水口と、前記入水口に対して前記第１出水口、前記第２出水口又は前記第３出水口とを択一的に連通させるべく内部の水路を切り換える切り換え機構と、を備えることを特徴としている。
【０００９】
また、前記入水口は、水道栓の蛇口と連通するために前記蛇口開口の先端と連結する蛇口連結部を有することを特徴としている。
【００１０】
また、水道栓に装着され、浄水した浄化水又は非浄化水を吐出口から吐出する浄水器をさらに備え、前記入水口は、前記浄水器の吐出口と連結可能とすることを特徴としている。
【００１１】
また、前記第２の水回り機器から返送されてくる水を前記第３出水口から吐出するために前記第２の水回り機器の吐出管が接続され、前記第３出水口と連通する第２入水口をさらに有することを特徴としている。
【００１２】
また、前記第３出水口は、シャワー吐出可能となるアタッチメントが装着可能な装着部を有することを特徴としている。
【００１３】
また、水を導入する導入口を有し、該導入口より導入した水を浄化し、浄化水を吐出する浄水器をさらに備え、前記第３出水口は、シャワー吐出可能となるアタッチメントが装着可能な装着部を有するとともに、該装着部は、前記浄水器の導入口との連結が可能であることを特徴としている。
【００１４】
また、水の導入が可能な給水開口と、前記第２の水回り機器から返送されてくる水を前記第３出水口から吐出させるべく前記第２の水回り機器の吐出管が接続される第３入水口と、前記第３出水口及び前記第３入水口と連通する第４出水口と、を有する分岐補助具をさらに備え、前記分岐補助具の給水開口は、前記第３出水口に接続されることを特徴としている。
【００１５】
また、前記第３出水口は、シャワー吐出可能となるアタッチメントが装着可能な装着部を有し、また前記分岐補助具は、前記第３出水口と前記給水開口とを接続するために前記装着部に装着可能な連結部を有することを特徴としている。
【００１６】
さらに、前記水道栓はシステムキッチンのシンク周辺に設けた貫通穴に固定され、また前記第１出水口及び第２出水口は前記貫通穴方向に向いて設けられていることを特徴としている。
【００１７】
また、上記課題を解決するために成された第２発明に係る分岐給水器具は、水道栓の蛇口と連結し、該水道栓からの水の導入が可能な入水口と、前記入水口に導入された水を第１の水回り機器に送るために前記第１の水回り機器の第１の給水管が接続される第１出水口と、前記入水口に導入された水を第２の水回り機器に送るために前記第２の水回り機器の第２の給水管が接続される第２出水口と、前記入水口に導入された水を外部に吐出するための第３出水口と、前記入水口に導入された水を浄化する浄水部と、該浄水部からの浄化水を吐出する第５出水口と、前記入水口に対して、前記第１出水口、前記第２出水口、前記第３出水口又は前記第５出水口とを択一的に連通させるべく内部の水路を切り換える切り換え機構と、を備えることを特徴としている。
【００１８】
さらに、上記課題を解決するために成された発明に係る食器洗い機は、前述の分岐給水器具を具備し、該分岐給水器具の第１出水口に連結された給水管を経て供給される水を貯留する給水タンクと、食器類が内部に収容され、その底部に貯留した水を吸引して前記食器類に向けて噴射することで該食器類を洗浄するための洗浄庫と、前記給水タンクより水を吸引して前記洗浄庫の底部に溜める給水手段と、を備えることを特徴としている。
【発明の効果】
【００１９】
本発明によれば、食器洗い機などの第１水回り機器を水道栓の蛇口開口から給水できるほか、アルカリイオン整水器などの第２水回り機器も水道栓の蛇口開口から給水が可能となるものである。
【００２０】
また、分岐給水器具と浄水器を一体化することで、薄型化、小型化が図れる。したがって、キチンのシンク周りにスペースが確保でき、水道栓の蛇口開口に取り付けら分岐給水器具が邪魔になりにくく家事の作業性が向上する。
【００２１】
さらに、本発明の分岐給水器具を使用すれば、面倒な工事の必要な分岐水栓を取り付けることなく、分岐水栓の工事レス方式の食器洗い機を使用することができる。また、給水時の使い勝手も良好にすることができる。
【発明を実施するための最良の形態】
【００２２】
［第１の実施の形態］
先ず、第１の実施形態について、以下説明する。
【００２３】
本発明の一実施例による食器洗い機について図１を参照して説明する。この食器洗い機１は外形を形成する筐体２を有し、この筐体２の内部には乾燥室を兼用する洗浄庫３が配設されている。洗浄庫３の前面開口には、その上端及び下端でそれぞれ軸支される上部ドア４及び下部ドア５が、上下方向に観音開きするように取り付けられている。下部ドア５の上端中央部にはドア開放操作体６が設けられており、ユーザがこのドア開放操作体６を指で押して下部ドア５を手前（図２では左方）に開けると、これに連動して上部ドア４が上方に開く構成となっている。下部ドア５の下方にはユーザが本食器洗い機に動作の指示を与えるための操作パネル７が配置されている。
【００２４】
食器類を収容するための食器籠８は、上部ドア４及び下部ドア５を開放した状態で洗浄庫３内に出し入れされるようになっている。洗浄庫３の底部には、上面に複数の水噴射穴１０が形成された、垂直軸を中心に回転自在であるノズルアーム９が設けられている。この食器洗い機では洗浄庫３の幅が奥行よりも大きいため、１本のノズルアームだけでは洗浄庫３内の両側方部まで水が行き渡らない。そこで、回転時においても図示したノズルアーム９と干渉しない位置に並んで、図示しない他のノズルアームが設けられている。洗浄庫３の底部には一段低く窪んで水溜め部１１が形成されており、その上面には、食器類から流れ落ちた残菜を捕集するための残菜フィルタ１２が着脱自在に設けられている。
【００２５】
洗浄庫３の底壁面下方には、左右方向に延在するように洗浄兼排水ポンプ１３が配置されている。洗浄兼排水ポンプ１３は、図示しないものの、隔壁で区画された洗浄ポンプ室と排水ポンプ室とを有しており、洗浄ポンプ室内及び排水ポンプ室内には、ポンプモータの同軸に取り付けられた洗浄用インペラ及び排水用インペラが設けられている。洗浄ポンプ室の吸入口１４は水溜め部１１の後壁に設けられた循環口１５に接続され、洗浄ポンプ室の吐出口１６は左右方向に延在して配設された通水路１７を介してノズルアーム９及び図示しないもう一方のノズルアームの水路に連通している。一方、図示していないが、排水ポンプ室の吸入口は水溜め部１１の側壁に設けられた排水口１８に接続され、排水ポンプ室の吐出口は排水ホース１９を介して機外に連通している。
【００２６】
洗浄庫３内に貯留された水の水位は、水溜め部１１に連通する図示しないエアトラップケース、洗浄庫３の背面下部に配置された圧力センサ、及びエアトラップケースと圧力センサとを連結するエアホースから成る庫内水位センサ２０により検知される。また、洗浄庫３の底部には、洗浄庫３内に貯留された水を温めるとともに乾燥時には洗浄庫３内の空気を加熱するためのループ状のヒータ２１が配設されている。
【００２７】
さらに本実施例の食器洗い機１本体の下部には、筐体２の一部として前面が開放されたタンク受け枠体２ａが形成されており、このタンク受け枠体２ａには貯水タンク２２が前方へ引き出し自在に配設されている。この貯水タンク２２の上面前部には、後述する分岐給水器具３８を経た水道水を導入するための給水ホース３９の出口端を接続する給水連結パイプ２３が設けられており、前部中央下には貯水タンク２２内から過剰な水、すなわち図１中の溢水水位Ｌ２にまで給水されると、それ以上貯水タンク２２内に貯留されないように機外に廃棄するための溢水パイプ２４の出口端２５が設けられている。
【００２８】
タンク受け枠体２ａ内の後部には、貯水タンク２２内に貯留された水を吸引するための給水ポンプ２６が設置されている。貯水タンク２２には出水パイプ２７が設けられ、貯水タンク２２がタンク受け枠体２ａに適切に収納されることにより、給水ポンプ２６のポンプケーシング２８から延設した吸入パイプ２９と連結し、弁体３０を開放して連通可能な状態となっている。
【００２９】
給水ホース３９を介して貯水タンク２２内に給水され図１中の満水水位Ｌ３に到達すると、給水ポンプ２６が作動して貯水タンク２２内の水が吸引されて給水直立管３１を介して洗浄庫３の後部の給水口３２まで持ち上げられて洗浄庫３内に注がれ、水溜め部１１を含む洗浄庫３の底部に貯留される。
【００３０】
洗浄庫３底部に所定水位（例えば図１中に記載の洗浄水位Ｌ１）まで給水されると、給水ポンプ２６を停止する。このとき、給水ポンプ２６の洗浄庫３への単位時間当たりの給水量は、水道水から供給される給水量より大きく設定されているため、貯水タンク２２内の貯水量は満水水位Ｌ３より下がっている。この後、給水が継続され再度満水水位Ｌ３に到達すると、操作パネル７から満水報知がなされ、ユーザに水道栓の閉塞して給水停止を促すことになる。
【００３１】
なお、本実施例の食器洗い機では、図示さないものの洗浄兼排水ポンプ１３の横に送風装置が配置されており、乾燥運転時にヒータ２１に通電されるとともに送風装置のファンが回転駆動されると、筐体２の側面又は背面に形成された吸気口から外気が洗浄庫３内へと導入され、ヒータ２１で加熱された熱風で洗浄庫３内に収容されている食器類を乾燥し、一方、洗浄庫３内の湿気を含む空気は前面側の排気口から機外へと排出されるようになっている。
【００３２】
本実施例の食器洗い機では、洗浄庫３底部に洗浄水位Ｌ１の水が溜められた状態で洗い運転やすすぎ運転が実行される。即ち、洗浄兼排水ポンプ１３のポンプモータは、正転方向に回転駆動されることで洗浄ポンプとして機能する。このとき、回転する洗浄用インペラの作用によって、循環口１５を通して水溜め部１１から吸い込んだ水を通水路１７を介してノズルアーム９へと圧送する。すると、ノズルアーム９の上面に設けられた水噴射穴１０から水が噴出し、その水勢によってノズルアーム９は垂直軸を中心に所定方向に回転する。水噴射穴１０から噴射された水は洗浄庫３内に収容されている食器類に当たり、食器類に付着している汚れを落としたり洗剤水を流したりする。
【００３３】
一方、洗浄兼排水ポンプ１３のポンプモータが逆転方向に回転駆動されることで、洗浄兼排水ポンプ１３は排水ポンプとして機能する。このときには、回転する排水用インペラの作用により、排水口１８を通して水溜め部１１から吸い込んだ水を排水ホース１９を通して機外へと排出する。
【００３４】
図２において、３３はユーザの台所に設置しているシステムキッチン、３４は食器洗い機本体１などが載置可能なシステムキッチン３３の天板、３５は底部に排水口を設け、水を注いで食器をすすいだり、食材を洗ったりするために天板３４の適所に水封して凹所を設けたシンク、３６はシンク３５に水を注ぐ蛇口開口を有する水道栓、３７はシンク３５の周囲の後方で水道栓を取り付けるために天板３４に設けた貫通穴、３８は水道栓３６の蛇口開口に取り付けた分岐給水器具、３９は該分岐水栓器具３８と食器洗い機本体１の給水連結パイプ２３とを接続する給水ホースである。
【００３５】
４０はシンク３５を挟んで食器洗い機本体１と対向する側の天板３４に載置され、水道栓３６の水を改質する第２水回り機器となるアルカリイオン整水器、４１は分岐給水器具３８に接続され、アルカリイオン整水器４０の給水する第２給水ホース、４２はアルカリイオン整水器４０で改質した水を吐出口４３から吐出し、ユーザに供給するための吐出パイプである。
【００３６】
なお、前述では第２水回り機器として、アルカリイオン整水器４０を挙げて説明したが、本発明はこれに限らず、例えば水道栓３６の水を浄化して浄化水を吐出する据え置き型の浄水器などでも良い。
【００３７】
本食器洗い機本体１にあっては、貯水タンク２２は引き出し自在になっているので、食器洗い機本体１が台所のシステムキッチン３３の天板３４上に設置された状態では、ユーザは貯水タンク２２を前方に引き出してその上面開口から貯水タンク２２内に注水を行うことができる。但し、一般的にはこうした注水作業は面倒であるため、図２に示すように、シンク３５上方の水道栓３６の蛇口開口に、本食器洗い機の付属部品として（又は別売品として）用意される分岐給水器具３８を装着し、その分岐給水器具３８と給水連結パイプ２３との間を給水ホース３９で連結する。そして、ユーザは貯水タンク２２への注水が必要なときに、分岐給水器具３８のレバーを回動させて内部水路を給水ホース３９側に切り換え、水道栓３６の開閉栓を開いて貯水タンク２２への給水を行う。
【００３８】
以下、分岐給水器具３８について、図３〜図５を参照して詳細に説明する。
【００３９】
この分岐給水器具３８は、水道栓３６の蛇口開口の下部に取り付けられている。４４は分岐給水器具３８の合成樹脂製のケーシング、４５はケーシング４４の上面に入水口、４６は入水口４５を取り囲むように水道栓３６の蛇口に取り付けるための蛇口連結部である。４７はケーシング４４の側面で水道栓の固定されている貫通孔方向に向けて開口して形成され、第１の水回り機器となる食器洗い機の給水ホース３９と接続する第１出水口、４８はケーシング４４の側面で水道栓の固定されている貫通孔方向に向けて開口して形成され、第２の水回り機器となるアルカリイオン整水器や浄水器の第２給水ホース４１と接続する第２出水口、４９はケーシング４４の下面に設けた第３出水口、５０は入水口４５と第１出水口４７若しくは第２出水口４８又は第３出水口４９とを択一的に連通させるよう切り換えるために回動操作するレバー、５１はレバー５０の操作に連動して、ケーシング４４内に配置された図示しない弁体が移動し、入水口４５と第１出水口４７若しくは第２出水口４８又は第３出水口４９とを択一的に連通するよう連通路を切り換えている切換え機構である。
【００４０】
前記第３出水口４９には、図６（ａ）のシャワー出水が可能となるシャワーアタッチメント５２ａや図６（ｂ）のストレート出水が可能となるストレートアタッチメント５２ｂなどのアタッチメント５２が装着可能な構成となっている。
【００４１】
かかる構成を図７を参照して説明する。図７（ａ）はシャワーアタッチメント５２ａが装着された図であり、図７（ｂ）はストレートアタッチメント５２ｂが装着された図である。５３は第３出水口４９周辺に立設されたリブであり、該リブ５３の外周の周囲面には雄ネジが形成されている。アタッチメント５２の前記リブ５３と対向する側壁５２１内面に、リブ５３の雄ネジと勘合する雌ネジが形成されており、アタッチメント５２を回動させて、リブ５３に当接させてねじ込むことにより、第３出水口４９に着脱自在に固定できるよう構成されている。
【００４２】
このアタッチメント５２は、ユーザの希望により取り付けられることができるものである。なお、図７では、シャワーアタッチメント５２ａとストレートアタッチメント５２ｂとを別々に設けていたが、本発明はこれに限定するものではなく、例えばアタッチメント５２の下面の中央部にはストレート出水用の大きな直径のストレート出水用開口を１つ設け、またストレート出水用周囲にシャワー出水用の開口を複数穿設して１つのアタッチメントで兼用できる構成としておくとともに、図５に示すようにレバー５０の回動操作によりケーシング４４内の入水口４５と第３出水口４９との連通路をさらに２つに分けて、一方をストレート出水用開口から出水できるストレート通水路５４とし、また他方をシャワー出水用開口から出水できるシャワー通水路５５として、レバー５０の回動操作により切換え可能としておいてもよい。
【００４３】
［第２の実施の形態］
第２の実施の形態について、図８〜図１１を参照して説明する。
かかる実施形態は、前述の第１の実施の形態とは、分岐給水器具３８に第２入水口５６が追加して形成された第２分岐給水器具５７を利用している点が異なり、それ以外の構成は同じである。従って、同じ機能を有する構成要件については同じ番号を付しており、説明を省略する。なお、アタッチメント５２が着脱自在に取り付けられる構成も同じであるので、この構成の説明も省略する。
【００４４】
第２分岐給水器具５７のケーシング４４側面には、第２の水回り機器となるアルカリイオン整水器や浄水器から返送管５８を介して返送されてくる水を導入するために、返送管５８が接続される第２入水口５６が設けられている。かかる第２入水口５６は、第１出水口４７や第２出水口４８と同様に、水道栓の固定されている貫通孔方向に向けて開口して形成されている。
【００４５】
アルカリイオン整水器や浄水器の第２の水回り機器の種類の中には、図８に示すように、ユーザの使い勝手を考慮して水道栓３６を使ったときと同じ感覚で使用できるよう、改質した水や浄化水を水道栓３６の蛇口開口付近から吐出できるよう返送する返送管５８を有している。このような機種を使用する際は、第２入水口５６を設けた第２分岐給水器具５７を選択して水道栓３６の蛇口開口に装着することで、対応が可能となるからである。
【００４６】
［第３の実施の形態］
第３の実施の形態について、図１２〜図１５を参照して説明する。
かかる実施の形態は、分岐給水器具３８を利用する点については第１の実施の形態と同じである。すなわち、分岐給水器具３８は、ケーシング４４の側面に、水道栓の固定されている貫通孔方向に向けて開口して形成され、第１の水回り機器または第２の水回り機器の各給水管と接続する第１出水口及び第２出水口を設け、第２入水口５６を設けていない構成である。
【００４７】
第１の実施の形態と異なる点は、第２の実施の形態で説明した第２の水回り機器から水を返送する返送管５８を、第２の分岐給水器具５７を用いず、分岐給水器具３８の下部に取り付けられる分岐補助具となるアダプタ５９に接続できるよう構成した点である。
【００４８】
アダプタ５９は、第２入水口５６と同様に第２の水回り機器からの返送管５８を接続し、返送されてくる水を導入する第３入水口６０と、上面に設けた第４入水口６１と、分岐給水器具３８のリブ５３に係合し、第３出水口４９と第４入水口６１とを連通させるアダプタ連結部６２と、下面に設け、導入した水を吐出する第４出水口６３とを備えている。
【００４９】
前記アダプタ５９の第２入水口６０は、側壁に形成され、下面の第４出水口６３と連通している。なお、分岐給水器具３８では、第３出水口４９への通水路がストレート通水路５４とシャワー通水路５５との切換えが可能としているが、アダプタ５２内部ではこの通水路の切換えが維持できるよう通水路が構成されており、また第４出水口６３の周囲には、分岐給水器具３８のリブ５３と同じ構成のリブが設けられて前述のアタッチメント５２が着脱可能になっているので、シャワー出水またはストレート出水の切換えが可能となっている。
【００５０】
［第４の実施の形態］
第４の実施の形態について、図１６〜図１８を参照して説明する。
かかる実施の形態は、第１の実施の形態の分岐給水器具３８を用いる点は共通であるが、リブ５３に市販されている浄水器６４を取り付けている点が異なる。すなわち、リブ５３は市販の浄水器６４の水道栓３６の蛇口開口に取り付ける部分と連結部６５を介して連結できるよう構成されているのである。
【００５１】
浄水器６４は、上面に非浄化水を導入する導水口６６と、下面に非浄化水を吐出する吐出開口６７と、導水口か６６から導入された非浄化水を浄化する浄水部６８と、導水口６６から導入された非浄化水を浄水部に送水する通水路と吐出開口６７へ直接送水する通水路とを浄水レバー６９の回動操作により切り替える水路切換え機構を内設する浄水本体７０とから構成されている。浄水部６８は、浄水本体７０に着脱自在に取り付けられており、浄水能力が低下した場合は、この浄水部６８のみを交換することにより、継続して浄水器６４の使用を可能としている。
【００５２】
前記浄水部６８で浄化した水は、浄水部６８の下面に設けられている浄水吐出口７１からシンク３５内へ出水可能としている。
【００５３】
分岐給水器具３８を使用する場合は、図１５に示すように、第２出水口には、返送管５８を備えず、吐出パイプ４２を介してシンク３５内に出水するタイプのアルカリイオン整水器４０を接続することが想定される。
【００５４】
なお、前述の説明で分岐給水器具３８と浄水器６４とを連結する旨説明したが、これに限らず第２分岐給水器具５７を連結しても良い。この場合、返送管５８を有するアルカリイオン整水器を接続することが想定される。
【００５５】
また、アタッチメント５２は、通常、市販されている浄水器７０の浄水本体７０には、ストレート出水またはシャワー出水の切換え機能を有しているので使用する必要がない。
【００５６】
［第５の実施の形態］
第５の実施の形態について、図１９及び図２０を参照して説明する。
第４の実施の形態と異なる点は、浄水器６４が水道栓３６の蛇口開口に取り付けられ、浄水器６４の吐出開口６７に連結部６５を介して分岐給水器具３８を連結した点である。その他の点は、同じであるので説明を省略する。もちろん、第２分岐給水器具５７を取り付けても良いことはいうまでもない。
【００５７】
［第６の実施の形態］
第６の実施の形態について、図２１及び図２２を参照して説明する。
かかる実施の形態は、前述した分岐給水器具３８と浄水器６４とを一体化した第３分岐給水器具７２を利用した実施形態である。すなわち、分聞く薄い器具３８では、切換え機構５１が、レバー５０を操作して、入水口４５と第１出水口４７、第２出水口４８及び第３出水口のいずれかと連通するよう通水路を切り換えていたが、第３分岐給水器具７２では、切換え機構５１が前述の切換えに加えて、ケーシング４４に着脱自在に取り付けた浄水部６８への連通できるよう追加されている。
【００５８】
かかる実施形態は、レバー５０での切換え選択が多くなり操作がわずらわしくなる反面、薄型化が図れ、システムキッチンでのユーザの作業性が向上するという効果を奏するものである。
【００５９】
なお、各構成の名称及び機能は、第１の実施の形態や第３の実施の形態の説明で同じ番号を付した構成と同じであるので、説明を省略する。
【００６０】
［第７の実施の形態］
第７の実施の形態について、図２３を参照して説明する。
かかる実施の形態では、第２分岐給水器具５７と浄水器６４とを一体化した第４分岐給水器具７３の実施の形態を示している。第４分岐給水器具７３は、第３分岐給水器具７２に第２入水口５６が追加形成される点が異なるだけで、第３分岐給水器具７２とほぼ同様な形状となる。従って、本実施の形態は説明を省略する。
【図面の簡単な説明】
【００６１】
【図１】本発明の一実施例である食器洗い機の側面縦断面図。
【図２】第１の実施の形態の分岐給水器具を利用したシステムキッチンの様子を示す斜視図。
【図３】第１の実施の形態の分岐給水器具と蛇口直結型浄水器とを連結した状態の全体斜視図。
【図４】図３の上面図。
【図５】図３の分岐給水器具の機能構成図。
【図６】アタッチメントの外観斜視図。
【図７】（ａ）シャワーアタッチメントを取り付けた分岐給水器具の断面図、（ｂ）ストレートアタッチメントを取り付けた分岐給水器具の断面図。
【図８】第２の実施の形態の分岐給水器具を利用したシステムキッチンの様子を示す斜視図。
【図９】第２の実施の形態の分岐給水器具と蛇口直結型浄水器とを連結した状態の全体斜視図。
【図１０】図９の上面図。
【図１１】図９の分岐給水器具の機能構成図。
【図１２】第３の実施の形態の分岐給水器具を利用したシステムキッチンの様子を示す斜視図。
【図１３】第３の実施の形態の分岐給水器具と蛇口直結型浄水器とを連結した状態の全体斜視図。
【図１４】図１３の上面図。
【図１５】図１３の分岐給水器具の機能構成図。
【図１６】第４の実施の形態の分岐給水器具を利用したシステムキッチンの様子を示す斜視図。
【図１７】第４の実施の形態の分岐給水器具と蛇口直結型浄水器とを連結した状態の全体斜視図。
【図１８】図１７の分岐給水器具の機能構成図。
【図１９】第５の実施の形態の分岐給水器具と蛇口直結型浄水器とを連結した状態の全体斜視図。
【図２０】図１９の分岐給水器具の機能構成図。
【図２１】第６の実施の形態の分岐給水器具と蛇口直結型浄水器とを連結した状態の全体斜視図。
【図２２】図２１の分岐給水器具の機能構成図。
【図２３】第７の実施の形態の分岐給水器具の機能構成図。
【符号の説明】
【００６２】
１…食器洗い機本体
２…筐体
３…洗浄庫
３８…分岐給水器具
４５…入水口
４６…蛇口連結部
４７…第１出水口
４８…第２出水口
４９…第３出水口
５１…切換え機構
５２…アタッチメント
５７…第２分岐給水器具
５９…アダプタ
７２…第３分岐給水器具
７３…第４分岐給水器具
【図１】
2006233674.tif 000003
【図２】
2006233674.tif 000004
【図３】
2006233674.tif 000005
【図４】
2006233674.tif 000006
【図５】
2006233674.tif 000007
【図６】
2006233674.tif 000008
【図７】
2006233674.tif 000009
【図８】
2006233674.tif 000010
【図９】
2006233674.tif 000011
【図１０】
2006233674.tif 000012
【図１１】
2006233674.tif 000013
【図１２】
2006233674.tif 000014
【図１３】
2006233674.tif 000015
【図１４】
2006233674.tif 000016
【図１５】
2006233674.tif 000017
【図１６】
2006233674.tif 000018
【図１７】
2006233674.tif 000019
【図１８】
2006233674.tif 000020
【図１９】
2006233674.tif 000021
【図２０】
2006233674.tif 000022
【図２１】
2006233674.tif 000023
【図２２】
2006233674.tif 000024
【図２３】
2006233674.tif 000025